(57)【特許請求の範囲】
【請求項１】
内部に揮散する薬剤を収容可能であって上部に開口部を備えた容器と、この容器の上部に装着され複数の揮散口が設けられたキャップとからなる揮散器において、
前記キャップに複数のリブを形成して、隣接するリブ間で前記揮散口を形成し、前記リブは、横方向に湾曲状であって、一端部を前記キャップの周縁部に結合され、他端部をキャップの中心部に結合されて放射状に配置されているとともに、前記一端部側が二股状に形成され、前記キャップの周縁部に、上方に突出しかつ斜め外方に突出するフランジが形成されたことを特徴とする揮散器。
【請求項２】
前記リブの縦方向の幅を横方向の幅よりも大きくしたことを特徴とする請求項１記載の揮散器。
【請求項３】
前記リブを上方に膨出する湾曲状に形成したことを特徴とする請求項１又は２記載の揮散器。
【請求項４】
前記容器は、周壁の上下方向の中程部が外部方向に膨出した球面形状であることを特徴とする請求項１、２又は３記載の揮散器。
【発明の詳細な説明】
【０００１】
【発明の属する技術分野】
本発明は、芳香剤や消臭剤等の薬剤を周囲空間に揮散させる揮散器に関する。
【０００２】
【従来の技術】
従来、芳香剤や消臭剤等の薬液を揮散させる揮散器は一般的に、上部に開口部を備えた容器と、この容器の上部に装着され複数の揮散口が設けられたキャップとからなり、容器の内部に揮散する薬剤を収容する。そして、この薬剤を収容した揮散器を室内等の適宜空間に配置すると、揮散口から容器内に流入する空気内に薬剤が揮散した後、容器外部に流出して、周囲に薬剤の薬効による芳香空間等が形成される。
【０００３】
したがって、キャップがなくとも薬剤の揮散による効果を得ることは可能ではあるが、配置状態において容器内部に落下した物等が入ってしまうことを未然に防止し、あるいは搬送時や陳列時に揮散器を積み重ね（スタック）ることを可能すべくキャップを設けている。また、キャップを設けても揮散を可能にすべく、キャップに揮散口を形成しているのである。
【０００４】
【発明が解決しようとする課題】
このように、揮散器が適宜箇所に配置されるものであること、及び搬送時や陳列時に積み重ねが要求されることを考慮すると、キャップは不可欠ではあるが、キャップを設けると容器への空気の流入及び流出が阻害されて、薬剤の揮散効率が低下することなる。このため、キャップを設けつつも容器への空気の流入及び流出がより効率的になされるべく、キャップに形成される揮散口の開口面積を可及的に増大させることが必要となる。
【０００５】
しかし、各揮散口の開口面積を増大させると、揮散口から容器内部に物が入ってしまい、キャップによる物の容器内への落下防止効果が損なわれてしまう。そこで、各揮散口の開口面積は増大させることなく、揮散口の数を増大させることにより、キャップによる物の容器内への落下防止効果を確保しつつ、揮散効率を高めることが考えられる。しかし、揮散口の数を増大させると、揮散口以外の残存部分が相対的に減少することとなり、その結果キャップの強度が低下してスタックが不可能となってしまう。
【０００６】
本発明は、このような従来の課題に鑑みてなされたものであり、揮散効率の向上を図りつつスタック性（積み重ね性）を確保することのできる揮散器を提供することを目的とするものである。
【０００７】
【課題を解決するための手段】
前記課題を解決するために請求項１記載の発明にかかる揮散器にあっては、内部に揮散する薬剤を収容可能であって上部に開口部を備えた容器と、この容器の上部に装着され複数の揮散口が設けられたキャップとからなる揮散器において、前記キャップに複数のリブを形成して、隣接するリブ間で前記揮散口を形成し、前記リブは、横方向に湾曲状であって、一端部を前記キャップの周縁部に結合され、他端部をキャップの中心部に結合されて放射状に配置されているとともに、前記一端部側が二股状に形成され、前記キャップの周縁部に、上方に突出しかつ斜め外方に突出するフランジが形成されたことを特徴とする。
つまり、前記リブは、横方向に湾曲状である。したがって、リブの側面も湾曲状となることから、キャップ上を流動する空気がリブの側面にガイドされて容器に流入した際に、湾曲状の側面により拡散されつつ容器に流入し、内部の薬剤と広範囲に亙って接触することにより、揮散効率が高められる。
また、リブは二股状の一端部にてキャップの周縁部に結合されていることから、リブの横方向の幅を狭くして開口面積を増大させても、キャップの周縁部との結合強度が充分に得られ、上方からの荷重に対する強度も高められる。
さらに、前記キャップの周縁部に、上方に突出するフランジが形成してある。前記リブを上方に膨出する湾曲状に形成すると、その上に別の揮散器を積み重ねた際に滑落し易くなるが、周縁部にフランジを形成することにより上部の揮散器の滑落が防止される。よって、揮散効率と上方からの荷重に対する強度とを高めつつ、スタック性を確保することができる。
しかも、前記フランジを、斜め外方に突設してある。したがって、キャップ上で流動する空気がフランジの表面に沿って流動してリブまでガイドされ、よって、スタック性を確保しつつ揮散効率が高められる。
【０００８】
また、請求項２記載の発明にかかる揮散器にあっては、前記リブの縦方向の幅を横方向の幅よりも大きくしたことを特徴とする。
リブの横方向の幅を小さくするとこれに伴って、隣接するリブ間の揮散口の開口面積が増大して、揮散効率が向上する。しかし、リブの縦方向の幅つまり肉厚は、横方向の幅よりも大きいことから、リブの横方向の幅を小さくしても、上方から加わる荷重に対する強度が確保される。また、キャップ上を流動する空気の流れは、大きな縦方向の幅を有するリブの側面によりガイドされ、よって容器内には効率的に空気が流入し、これによっても容器内に収容されている薬剤の揮散効率が高められる。
【００１２】
また、請求項３記載の発明にかかる揮散器にあっては、前記リブを上方に膨出する湾曲状に形成してある。したがって、キャップ上を流動する空気がリブの側面に当たり易くなって、空気が効率的に容器内に導入されて揮散効率が高められるとともに、上方からの荷重に対する強度も高められる。
【００１３】
また、請求項４記載の発明にかかる揮散器にあっては、前記容器は、周壁の上下方向の中程部が外部方向に膨出した球面形状である。したがって、容器内に流入した空気が周壁に沿って流下した後、薬剤の表面に沿って容器中心方向に流れた後、容器外部に流出する空気通流経路が形成され、これにより構成効率的な揮散がなされる。
【００１４】
【発明の実施の形態】
以下、本発明の実施の形態を図に従って説明する。図１に示すように、本実施の形態にかかる揮散器１は、容器２とこの容器２の上部に螺着されたキャップ３とで構成されている。容器２は透明のプラスチック製であって、図２に示すように、底面部２１と、この底面部２１に下端部が連なる周壁２２、及びこの周壁２２の上端部に連なって起立する円筒状の首部２３を一体的に有している。
【００１５】
底面部２１は、容器２の内部方向に膨出しており、周壁２２はその上下方向の中程部が外部方向に膨出した球面形状に形成されている。首部２３の外周面には、雄ねじ部２４が形成されており、その内側に開口部２５が設けられている。
【００１６】
一方、キャップ３は半透明のプラスチック製であって、図３に示すように、円筒状のスカート部３１を有しており、このスカート部３１の内周面には雌ねじ部３２が形成されている。スカート部３１の上端部には、フランジ３３が全周に亙って形成されており、このフランジ３３はキャップ３の上部斜め外方に突設されている。
【００１７】
フランジ３３の下端部には、その内側全面に亙って、複数のリブ３４が形成されているとともに、隣接する各リブ３４間に揮散口３５が形成されている。各リブ３４は、図４に示すように、縦方向の幅ａが横方向の幅ｂよりも大きく、これら縦方向の幅ａと横方向の幅ｂとの関係は、例えばａ＝１．５ｂに設定されている。つまり、リブ３４は、その側面３４ｂの幅が上面３４ｃの幅よりも広く設定されている。
【００１８】
また、リブ３４は上方Ｕ（図４参照）に膨出する湾曲状に形成されているとともに、横方向Ｓ（図３（Ａ）参照）に湾曲状に形成されている。さらに、リブ３４は、一端部をフランジ３３の下端部に結合され、他端部をキャップ３の中心部に位置する円形のボス部３６に結合されて放射状に配置されている。前記一端部側に一対の二股部３４ａが設けられ、この二股部３４ａの端部がフランジ３３の下端部に結合されている。このキャップ３は、前記雌ねじ部３２を容器２の雄ねじ部２４に螺合させることにより、容器２の首部２３に装着されている。
【００１９】
なお、容器２の内部には、図１に示すように、芳香剤、消臭剤等の揮散して薬効を発生するゲル状の薬剤４が収容されるとともに、容器２の開口部２５にアルミ箔等の気密シート（図示せず）が貼着されて出荷される。
【００２０】
以上の構成にかかる本実施の形態において、出荷に伴う搬送時や販売店での陳列時には、揮散器１が積み重ねられ、リブ３４にはその上部に位置する揮散器１の荷重が加わることとなる。しかし、リブ３４の縦方向の幅ａは横方向の幅ｂよりも大きいことから、上方から加わる前記荷重に対する強度を確保することができ、リブ３４が破損して商品性が損なわれてしまうことはない。
【００２１】
しかも、リブ３４は上方Ｕに膨出する湾曲状であることから、上方からの荷重に対する強度も高められて、その破損が確実に防止される。その反面、このようにリブ３４を上方Ｕに膨出する湾曲状に形成すると、その上に揮散器１を積み重ねた際に、上部の揮散器１が滑落し易くなる。しかし、キャップ３には前記フランジ３３が形成されていることから、上部の揮散器１の滑落がフランジ３３により防止され、よって、上方からの荷重に対する強度とを高めつつ、スタック性を確保することができる。
【００２２】
加えて、リブ３４の端部は二股部３４ａにて、フランジ３３の下端部に結合されていることから、リブ３４に加わった荷重が二股部３４ａで分散されることにより、応力集中が回避され、揮散器１を積み重ねた際のリブ３４の破損が、確実に防止される。
【００２３】
このようにして、搬送あるいは陳列された揮散器１は購入後に、キャップ３が容器２から螺脱されて、前記気密シートが除去され、再度キャップ３が容器２に螺着れた後、適宜の箇所に配置されて使用が開始される。すると、薬剤４の成分が揮散口３５を介して揮散器１の外部に揮散し、これにより、周囲空間に揮散成分による薬効が生ずる。
【００２４】
このとき、揮散口３５を形成している各リブ３４は、縦方向の幅ａが横方向の幅ｂよりも大きいことから、隣接するリブ３４間の各揮散口３５には充分な開口面積が確保されており、優れた揮散効率を得ることができる。また、キャップ３上を流動する空気の流れは、大きな縦方向の幅を有するリブ３４の側面３４ｂによりガイドされて、容器２内には効率的に空気が流入し、これによっても容器２内に収容されている薬剤４の揮散効率が高められる。
【００２５】
しかも、リブ３４を上方Ｕに膨出する湾曲状に形成されていることから、キャップ上を流動する空気がリブ３４の側面３４ｂに当たり易くなって、空気が効率的に容器２内に導入されて揮散効率が高められる。また、前記フランジ３３は、キャップ３の上部斜め外方に突設されていることから、キャップ上で流動する空気が、図１に示すように、フランジ３３の表面に沿って流動しリブ３４までガイドされて、揮散口３５から容器２の内部に流入する。
【００２６】
このとき、リブ３４は、横方向Ｓに湾曲状であり、リブ３４の側面３４ｂも同方向に湾曲状であることから、空気がリブ３４の側面３４ｂにガイドされて容器に流入した際に、湾曲状の側面３４ｂにより拡散されつつ容器２に流入する。このため、空気が内部の薬剤と広範囲に亙って接触し、これによっても揮散効率が高められる。
【００２７】
また、容器２は、周壁２２の上下方向の中程部が外部方向に膨出した球面形状であることから、図１に示すように、容器２内に流入した空気ａが周壁２２に沿って流下した後、薬剤４の表面に沿って容器２の中心方向に流れ、容器２外部に流出する空気通流経路が形成され、これによっても薬剤４を効率的に揮散させることができる。
【００２８】
図５は、本発明の他の実施の形態を示すものであり、リブ３４は直状であってキャップ３の中心部から放射状に形成されており、したがって、隣接するリブ３４間に形成される揮散口３５は、必然的に中心部側が狭く、周部側が広い形状となっている。よって、揮散口３５は、中心部側の開口面積が小さく、周部側の開口面積が大きいという関係にある。しかし、リブ３４は、縦方向の幅は中心部側が周部側よりも広く設定されており、したがって、リブ３４のガイド作用によっては、中心部側では、周部側よりも大量の空気が導入されることとなる。
【００２９】
つまり、揮散口３５の開口面積に着目すると、周部側が中心部側よりも大量の空気が導入されることとなるが、リブ３４に着目すると、これとは逆に中心部側が周部側よりも大量の空気が導入されることとなる。よって、全体としてはリブ３４の全面において、均一に空気が容器２内に導入されることとなり、その結果、薬剤４の全面に亙って均一に成分を揮散させて、これにより揮散効率を向上させることができる。
【００３０】
【発明の効果】
以上説明したように本発明は、揮散器のキャップに、複数のリブを形成して、隣接するリブ間で揮散口を形成し、前記リブは、横方向に湾曲状としたことから、リブの側面が湾曲状となって、キャップ上を流動する空気がリブの側面にガイドされて容器に流入した際に、湾曲状の側面により空気を拡散させて容器に流入させることができ、これにより、流入した空気を内部の薬剤と広範囲に亙って接触させて、揮散効率を高めることができる。
また、リブを放射状に配置するとともに、二股状の一端部にてキャップの周縁部に結合させるようにしたことから、リブの横方向の幅を狭くして開口面積を増大させても、キャップの周縁部との結合強度が充分に得られ、上方からの荷重に対する強度を高めることができる。
さらに、キャップの周縁部に、上方に突出するフランジを形成するようにしたことから、揮散器を積み重ねた際の滑落を防止することができ、揮散効率と上方からの荷重に対する強度とを高めつつ、スタック性を確保することができる。
しかも、前記フランジを、斜め外方に突設するようにしたことから、キャップ上で流動する空気をリブまでガイドすることができ、よって、スタック性を確保しつつ揮散効率を高めることができる。
【００３１】
また、リブの縦方向の幅を横方向の幅よりも大きくしたことから、揮散口の開口面積増大とリブによる空気ガイド作用とにより、揮散効率を高めつつ、搬送時や陳列時に揮散器を積み重ねた場合等に生ずる荷重による破損のない揮散器を提供することができる。
また、リブを上方に膨出する湾曲状に形成するようにしたことから、空気を効率的に容器内に導入して、揮散効率が高めることができる。
【００３５】
また、容器の周壁をその上下方向の中程部が外部方向に膨出した球面形状としたことから、容器内に流入した空気が周壁に沿って流下した後、薬剤の表面に沿って容器中心方向に流れ、しかる後に容器外部に流出する空気通流経路が形成され、これによっても揮散効率を高めることができる。
【００３６】
【図面の簡単な説明】
【図１】（Ａ）は本発明の一実施の形態にかかる揮散器の一部断面正面図、（Ｂ）は一部断面側面図である。
【図２】（Ａ）は容器の平面図、（Ｂ）は正面図である。
【図３】（Ａ）はキャップの平面図、（Ｂ）は一部断面正面図、（Ｃ）は底面図である。
【図４】キャップの断面拡大図である。
【図５】本発明の他の実施の形態を示すキャップの垂直断面図である。
【符号の説明】
１    揮散器
２    容器
３    キャップ
４    薬剤
２５    開口部
３４    リブ
３５    揮散口
【図１】
0004077569.tif 000002
【図２】
0004077569.tif 000003
【図３】
0004077569.tif 000004
【図４】
0004077569.tif 000005
【図５】
0004077569.tif 000006